(57)【要約】【課題】本発明の壁材１は、ユーザの健康を増進することができる。【解決手段】本発明は、部屋１０を構成する６つの面のうち、天井面を除く５面に使用されている壁材１において、当該壁材１の表面を覆う仕上材３に、植物の露出部位としてのラベンダーの花部分を乾燥させて粉末状にしたラベンダー粉末を含有させることにより、壁材１の大きな面積からゆっくりと、かつ長い時間に渡って部屋１０内にラベンダーの芳香を漂わせるようにした。【選択図】図２
2008144548.tif 000002
【特許請求の範囲】
【請求項１】
植物の露出部分を構成する露出部位が乾燥されてなる植物粉末を含有する仕上材が表面に塗布された
ことを特徴とする壁材。
【請求項２】
水と、塗布材料と、植物の露出部分を構成する露出部位が乾燥されてなる植物粉末とを混合させて混合仕上液を作製する混合ステップと、
上記混合仕上液を基材に対して塗布する塗布ステップと、
塗布された上記基材を自然乾燥させる乾燥ステップと
を具えることを特徴とする壁材の製造方法。
【請求項３】
溶岩を粉末状に粉砕した溶岩粉末を含有する仕上材が表面に塗布された
ことを特徴とする壁材。
【発明の詳細な説明】
【技術分野】
【０００１】
本発明は、壁材及び壁材の製造方法に関し、例えば部屋を構成する壁材に適用して好適なものである。
【背景技術】
【０００２】
一般的に、例えば家屋内部に形成された部屋は、６つの面によって形成された直方体形状を有していることが多い。このような部屋において、壁材を用いて鉛直方向に平行な面である壁面が構成され、部屋内部においてはこの壁材が大きな面積を占めることになる。
【０００３】
この壁材としては、ホルムアルデヒドやトルエンなどの化学物質を吸着させることにより、大きな面積を有効に活用し、部屋内にいるユーザがハウスシック症候群になるのを防止するようになされたものが提案されている（例えば特許文献１参照）。
【特許文献１】特開２００４−２４４２２７公報
【発明の開示】
【発明が解決しようとする課題】
【０００４】
ところでこの壁材に対してさらに様々な機能を付加することにより、大きな面積を有効活用してユーザの健康を増進することができると考えられる。
【０００５】
本発明は以上の点を考慮してなされたもので、大きな面積を有効活用してユーザの健康を増進できる壁材及び壁材の製造方法を提案しようとするものである。
【課題を解決するための手段】
【０００６】
かかる課題を解決するため本発明の壁材１においては、花などの植物の露出部分を構成する露出部位が乾燥されてなる植物粉末であるラベンダー粉末を含有する仕上材３が基材２の表面に塗布されるようにしたことにより、壁材１から長い期間に渡ってラベンダーの芳香を漂わせることができる。
【０００７】
また本発明の壁材１の製造方法は、水と、塗布材料である漆喰粉末と、花などの植物の露出部分を構成する露出部位が乾燥されてなる植物粉末としてのラベンダー粉末とを混合させて混合仕上液を作製する混合ステップと、上記混合仕上液を基材２に対して塗布する塗布ステップと、塗布された上記基材２を自然乾燥させる乾燥ステップとを設けるようにしたことにより、簡易な工程で壁材１から長い期間に渡って芳香を漂わせることができる。
【０００８】
また本発明の壁材１では、溶岩を粉末状に粉砕した溶岩粉末を含有する仕上材が表面に塗布されるようにしたことにより、壁材１から大量の遠赤外線を放射することができる。
【発明の効果】
【０００９】
本発明によれば、長い期間に渡って芳香を漂わせることができ、かくして大きな面積を有効活用してユーザの健康を増進することができる壁材及び壁材の製造方法を実現できる。
【００１０】
また本発明によれば、大量の遠赤外線を放射することができ、かくして大きな面積を有効活用してユーザの健康を増進することができる壁材を実現できる。
【発明を実施するための最良の形態】
【００１１】
以下、図面について、本発明の一実施の形態を詳述する。
【００１２】
（１）第１の実施の形態
図１に示すように、６つの面で構成される部屋１０において、床面を除く４つの壁面及び天井面の合計５面に本発明の壁材１が使用されている。部屋１０において、壁材１は非常に大きい面積を占めている。
【００１３】
図２（Ａ）に示すように、この壁材１は例えばパーティクルボードでなる基材２の表面に仕上材３が２［ｍｍ］厚程度に形成されることにより構成されている。
【００１４】
仕上材３は、仕上材原料としての漆喰に加えて、植物粉末としてのラベンダー粉末を含有している。
【００１５】
漆喰は、主成分である生石灰（酸化カルシウム、ＣａＯ）が水（Ｈ２Ｏ）に分散されることにより水と結合して消石灰（水酸化カルシウム、Ｃａ(ＯＨ)２）となり、この消石灰が二酸化炭素（ＣＯ２）を吸収して硬化し、石灰石（炭酸カルシウム、ＣａＣＯ３）となることにより、強固な壁を形成することができる。
【００１６】
ラベンダーは、人間をリラックスさせる芳香を有する精油成分を含有している。ラベンダー粉末は、ラベンダーそのものを粉末状にしたものであるため、精油成分に対する親和性の高い繊維質の内部に当該精油成分を包含させたままの状態にあり、長い時間をかけてゆっくりと精油成分を揮発させることができる。
【００１７】
このラベンダーは、表面から遠い位置に存在するため、通常では長い時間経過した後でも揮発しないまま残留してしまうような精油成分を有しているが、粉末状にすることによって残留しがちな精油成分を表面近くに位置させ、精油成分の殆どをラベンダー粉末から揮発させることができる。
【００１８】
図２（Ｂ）に示すように、仕上材３の表面には流れるような筋状の模様や粒状の凹凸でなる模様が形成されている。
【００１９】
これにより仕上材３の表面積を増大させることができるため、平仕上の場合と比して仕上材３の表面とラベンダー粉末との距離を相対的に小さくすることができ、殆ど全ての精油成分を残すことなく揮発させることができる。
【００２０】
次に壁材１の製造方法を説明する。
【００２１】
漆喰粉末としては、例えば主成分としての生石灰、水に対する分散性を向上させるための混和材及び植物繊維であるスサなどが混合された建材用の漆喰が用いられる。
【００２２】
ラベンダー粉末としては、ラベンダーの主に花部分を自然乾燥させたものを、一般的なミルサーによって粉末状に粉砕されたものが用いられる。このとき乾燥させたラベンダーを粉末にラベンダーの花部分を敢えて大きめの粒状にして残すことより、図２（Ｂ）に示したような粒状の模様を形成することができる。
【００２３】
漆喰粉末１００重量部と、ラベンダー粉末３重量部と、水５０重量部とを混合し、ハンドミキサーを用いて５〜１０分間攪拌することにより、混合仕上液を作製する。
【００２４】
ラベンダー粉末をそのまま混合するため、従来のラベンダーから抽出された精油そのものを添加する方法と比較して、ラベンダーから精油を抽出する工程が不要となり、簡易な工程で壁材１を製造することができる。
【００２５】
ちなみに精油を抽出する際には、精油成分の内、特に沸点の低い低分子量成分の分留が困難であり、この低分子量成分を結果的に廃棄しているが、壁材１では、植物粉末をそのまま使用するため、ラベンダーが有する殆ど全ての精油成分をくまなく活用することができる。
【００２６】
この混合仕上液は基材２の表面に仕上材３として、例えばこてを用いて塗布される。このとき塗布された混合仕上液の表面に凹凸をつけることにより、図２（Ｂ）に示したような筋状の模様が形成される。
【００２７】
そして壁材１に塗布された仕上材３を２日間自然乾燥させることにより、仕上材３が硬化し、ラベンダー粉末を強固に保持して仕上材３に固定化することができる。
【００２８】
以上の構成において、精油成分の揮発速度が小さい状態にあるラベンダー粉末を壁材１の全表面に広げることにより、大きな面積を有する仕上材３の内部からラベンダー粉末が有する精油成分を長い時間に渡ってゆっくりと揮発させることができ、部屋１０内に長い期間に渡ってラベンダーの芳香を漂わせることができる。
【００２９】
また仕上材３の主成分となる石灰石は、周辺の湿度に応じて水分を吸放湿する、いわゆる調湿効果を有している。ラベンダー粉末は石灰石と共に水分の吸放湿を繰り返し、揮発しにくい状態にある精油成分をも放湿される水分と共に徐々に揮発させることにより、包含している精油成分を殆ど残留させることなく、長い期間に渡って部屋１０内にラベンダーの芳香を漂わせることができる。
【００３０】
ちなみに、ラベンダーの精油成分を抽出して仕上材３に含有させる場合、精油成分の抽出に非常に手間がかかる上、例えば数日間のような短期間で芳香として揮発してしまうことになり、ユーザをリラックスさせるどころか、体調を崩させることになり兼ねない。
【００３１】
仕上材３では、揮発速度の小さい状態にあるラベンダー粉末を仕上材３に含有させるため、精油が一気に揮発することがなく、安全な状態でユーザにラベンダーの芳香を楽しませることができる。
【００３２】
以上の構成によれば、壁材１の表面を覆う仕上材３にラベンダー粉末を含有させることにより、ラベンダー粉末からの適度な芳香を長い期間に渡ってユーザに楽しませることができ、壁材１の大きい面積を活用してユーザの健康を増進することができる。
【００３３】
ラベンダー粉末は、乾燥時に形成された多くの間隙が粉末状になって表出することにより非常に大きな表面積を有しており、例えばホルムアルデヒドなどの有害物質を吸着する効果も有している。
【００３４】
実際に上述した方法で壁材１を作製したが、壁材１の作製から５ヶ月経過後であっても部屋１０にはラベンダーの芳香が適度に漂っていることが確認されている。
【００３５】
なお上述した第１の実施の形態においては、植物の露出部位としてラベンダーの花部分を乾燥した植物粉末を使用するようにした場合について述べたが、本発明はこれに限らず、使用される植物粉末は、植物の花、葉、樹皮及び果皮など、植物において空気中に露出している露出部位を乾燥させて粉末にしたものであればよく、特に限定されない。
【００３６】
植物粉末の原材料としては、例えば、ローズ、イランイラン、カモミール、クラリセージ、ジュニパー、グレープフルーツ、スイートオレンジ、ゼラニウム、ティーツリー、ネロリ、ヒノキ、ヒバ、パイン、ペパーミント、ローズマリー、ベルガモット、レモン、ユーカリ、シダーウッド、クローブリーブなどの植物において主に表面に露出する花や葉、樹皮、果皮などの部位（以下、これを露出部位と呼ぶ）を適宜使用することができる。
【００３７】
このとき、使用する植物粉末によってそれぞれ精油としての効果は変化するため、例えば日当たりの悪い部屋には殺菌効果の高いクローブリーブ、ヒノキを使用するなど、部屋の環境やユーザの好みに応じて適宜選択することが好ましい。いずれの植物粉末を使用した場合であっても、上述した実施の形態と同様に、植物粉末から精油が揮発することによる芳香を長い期間に渡ってユーザに楽しませることができ、精油が有するそれぞれの効果によってユーザの健康を増進することができる。
【００３８】
また上述した第１の実施の形態においては、仕上材３が１種類の植物粉末（ラベンダー粉末）を含有するようにした場合について述べたが、本発明はこれに限らず、複数種類の植物粉末を適宜ブレンドするようにしても良い。これにより、１種類の植物粉末を用いる場合と比較して、芳香の効果を一段と向上させると共に、芳香のバリエーションを増大させることができる。
【００３９】
さらに上述した第１の実施の形態においては、植物粉末としてのラベンダー粉末を消石灰１００重量部に対して３重量部（すなわち、仕上材３の乾燥固形分の内、２．９［重量％］）混合するようにした場合について述べたが、本発明はこれに限らず、この植物粉末の含有量は、使用する植物粉末の芳香の強さや部屋の大きさ、植物粉末の粒径などに合わせて適宜変更することができる。
【００４０】
このときの混合割合は、仕上材３の乾燥固形分の内、植物粉末が０．３〜６．０［重量％］の範囲内で混合されるが好ましく、より好ましくは仕上材３の乾燥固形分の内、植物粉末が０．５〜３．０［重量％］の範囲内で混合されることが好ましい。植物粉末の含有量が０．３［重量％］より少ないと十分な芳香が得られないことがあり、また、６．０［重量％］を超えて配合してもかえって色や塗布性が悪化するなど、製品面での問題が生じる。
【００４１】
さらに上述した第１の実施の形態においては、漆喰粉末として生石灰、混和材及びスサを含む混合粉末を用いるようにした場合について述べたが、本発明はこれに限らず、例えば石灰石又は種々の無機質材料などを含む漆喰粉末や、珪藻土やコンクリートなどの無機系材料を用いるようにしても良い。
【００４２】
さらに上述した第１の実施の形態においては、パーティクルボードでなる基材２に仕上材３が塗布されるようにした場合について述べたが、本発明はこれに限らず、例えば木材やコンクリート、石膏、漆喰材などの各種基材に直接塗布されても良く、また、これらに下地材が塗布済みの状態にある基材２の表面に塗布されるようにしても良い。
【００４３】
（２）第２の実施の形態
図３〜５は、第２の実施の形態を示すもので、図１及び図２に示す第１の実施の形態に対応する部分を同一符号で示すように、植物粉末の代わりに溶岩粉末を含有させる。
【００４４】
溶岩粉末としては富士山の溶岩を一般的なミルサーによって粉砕したものを用いる。この溶岩粉末の粒径は、大きいものから小さいものまで比較的分散しており、仕上材３の塗布方法（仕上げ方法）に応じて分級して使用する。
【００４５】
溶岩は、多種類かつ大量の鉱物から大量の遠赤外線を放射し、人体を暖めて新陳代謝を活発にするという効能がある。この遠赤外線は物質に吸収される特性を有しており、例えば溶岩内部にある鉱物から発射されても周囲に存在する鉱物に吸収されてしまうことから、実質的に溶岩の表面からのみ遠赤外線を放射することになり、放射される遠赤外線の量は溶岩の表面積に依存する。
【００４６】
この溶岩を粉末状にすることにより、溶岩の表面積を増大させ、溶岩から放射される遠赤外線の量を増大させることができる。
【００４７】
図３に富士山の溶岩の化学成分の一覧表を、溶岩の元となる溶岩流毎に示している。富士山の溶岩は、いずれの溶岩流から産出される溶岩粉末であっても酸化チタンを含んでいることから、光と酸化チタンとによって触媒作用を発現する、いわゆる光触媒の効果も得ることができる。
【００４８】
また、富士山の溶岩から生成された溶岩粉末は、安全性の高い酸化ケイ素、酸化アルミニウム、酸化鉄、酸化第２鉄、酸化マグネシウム、酸化カルシウム、酸化ナトリウム、酸化カリウム、酸化チタン、酸化リン、酸化マンガンなどの鉱物によって構成されており、例えばカドミウムや水銀などの有害物質を殆ど含んでおらず、混合仕上液を塗布する作業者やユーザに対する安全性が高いことが分かる。
【００４９】
この仕上材３の作製方法としては、まず、漆喰粉末１００重量部と、溶岩粉末１０重量部と、水５０重量部とを混合ミキサーを用いて混合することにより混合仕上液を作製すると共に、混合仕上液を仕上材３として基材２に塗布する。
【００５０】
漆喰粉末に溶岩粉末を混合させることにより、混合仕上液の塗布性が向上する現象が確認されている。これは、混合仕上液中において溶岩粉末が及ぼす作用により、混合仕上液のチキソ性を高めるためである。
【００５１】
これにより塗布作業が容易になり、従来に比して仕上材３の表面を塗布する作業者のイメージ通りに当該仕上材３を仕上げることができ、結果としてユーザを満足させることができる。
【００５２】
図４に示すように、例えば溶岩粉末を分級することなくそのまま使用し、大きい粒径を有する粒状の溶岩を模様として使用すると共に、図２と同様に、筋状の模様をつけることにより、仕上材３の表面に敢えて凹凸をつけることができる。
【００５３】
これにより、仕上材３の表面積を一段と大きくすることができるだけでなく、仕上材３に溶岩粉末を含有していることをユーザに意識させることができ、遠赤外線の効果に加えて、ユーザの意識的な要因で遠赤外線と同様の効果を生じさせることができる、いわゆるプラセボ効果も期待できる。
【００５４】
そして基材２に塗布された混合仕上液を２日間に渡って自然乾燥させることにより、仕上材３が硬化し、溶岩粉末を壁材１の全面に塗布された仕上材３に固定化することができる。
【００５５】
以上の構成において、壁材１では、溶岩粉末を壁材１の全表面に広げることにより、溶岩粉末から部屋１０内にいるユーザに対して大量の遠赤外線を放射することができ、ユーザの新陳代謝を活発にして当該ユーザの健康を増進することができる。
【００５６】
仕上材３の主原料として漆喰を用いていることにより、漆喰（消石灰）の硬化時に仕上材３の表面に大量の空隙を形成させて表面積を増大させ、表出する溶岩粉末の面積を増大させることができるため、壁材１から放射される遠赤外線を一段と増大させることができる。
【００５７】
仕上材３は、溶岩粉末の光触媒の作用により壁材１を細菌やカビから防御すると共に、部屋１に存在する細菌をも殺菌して部屋１０内にいる細菌の数を減少させることができ、ユーザに対する健康効果を高めることができる。
【００５８】
以上の構成によれば、壁材１の表面に塗布される仕上材３に溶岩粉末を含有させることにより、ただ単に部屋１０にいるだけのユーザに対して大量の遠赤外線を浴びせることができ、壁材１の大きな面積を活用してユーザの健康を増進することができる。
【００５９】
また、従来のユーザが寝そべらなければならない岩盤浴装置や遠赤外線が放射されるその場所にいなければならない遠赤外線装置とは異なり、ユーザを拘束することなく、ユーザに部屋１０内で自由に移動させることができると共に、ユーザに大掛かりな装置やエネルギーを使用させる必要がない。
【００６０】
なお上述した第２の実施の形態においては、漆喰粉末１００重量部に対して溶岩粉末１０重量部が混合されるようにした場合について述べたが、本発明はこれに限らず、この溶岩粉末の含有量は、使用する溶岩粉末の粒径や部屋の大きさなどに合わせて適宜変更することができる。
【００６１】
このときの混合割合は、仕上材３の乾燥固形分の内、溶岩粉末が２〜２０［重量％］の範囲内で混合されるが好ましく、より好ましくは仕上材３の乾燥固形分の内、溶岩粉末が５〜１０［重量％］の範囲内で混合されることが好ましい。溶岩粉末の含有量が２［重量％］より少ないと十分な遠赤外線の放射量が得られないことがあり、また、２０［重量％］を超えて配合してもかえって色や塗布性が悪化するなど、製品面での問題が生じる。
【００６２】
（３）第３の実施の形態
第３の実施の形態では、第１の実施の形態で使用された植物粉末に加えて、第２の実施の形態で使用された溶岩粉末を図１に示した壁材１の表面に使用される仕上材３に含有させるようにする。
【００６３】
仕上材３は、漆喰粉末１００重量部と、ラベンダー粉末３重量部と、溶岩粉末１０重量部と、水５０重量部とを混合ミキサーを用いて混合することにより作製された混合仕上液を基材２に塗布し、２日間自然乾燥させることにより形成される。
【００６４】
以上の構成において、壁材１では、ラベンダー粉末と溶岩粉末を壁材１の全表面に広げることにより、ラベンダー粉末と溶岩粉末が生じる効果を同時に発現させることができ、ラベンダー粉末から芳香を漂わせて部屋１０内にいるユーザをリラックスさせると同時に、溶岩粉末から放射される大量の遠赤外線によってユーザの体を温め、ユーザの新陳代謝を活発にすることができる。
【００６５】
以上の構成によれば、壁材１では、壁材１の表面に塗布される仕上材３にラベンダー粉末だけでなく溶岩粉末をも含有させることにより、ラベンダーの芳香と溶岩粉末の遠赤外線との相乗効果によってユーザに対する健康を一層増進することができる。
【産業上の利用可能性】
【００６６】
本発明の壁材及び壁材の製造方法は、例えば室内に芳香を漂わせたり、遠赤外線を放射したりする壁材に利用することができる。
【図面の簡単な説明】
【００６７】
【図１】部屋の構成を示す略線図である。
【図２】（Ａ）及び（Ｂ）は第１の実施の形態による壁材の構成を示す断面図及び上面図である。
【図３】富士山火山噴出物の化学成分を示す略線図である。
【図４】（Ａ）及び（Ｂ）は第２の実施の形態による壁材の構成を示す断面図及び上面図である。
【符号の説明】
【００６８】
１……壁材、２……基材、３……仕上材、１０……部屋。
【図１】
2008144548.tif 000003
【図２】
2008144548.tif 000004
【図３】
2008144548.tif 000005
【図４】
2008144548.tif 000006